(57)【要約】      （修正有）【課題】排水処理工事の現場で、排水桝に突設される配管接続部において、該排水桝の独立系内で該配管接続部の流入口に省力的にかつ安全確実に、流入管を嵌着できる管嵌着治具を提供する。【解決手段】管嵌着治具Ｂは、桝本体３の内部に、下方にフック１５を突設した支持体１０を収め、該フック１５に配管接続部５の流入口より挿通下長尺なアイボルト１９のリング部３７を係合し、ネジ軸２１に挿通される押圧体３４の支持軸部に流入管９を外嵌して案内支持し、一対の座金２６，２６と両座金２６間に挟持されるコイルスプリング２７とから成る押圧調整体２８を該押圧体３４の後方からネジ軸２１に挿通し、押圧調整体２８の後方からネジ軸２１に螺着した押圧ナット２９により、排水桝１の独立系内で押圧体３４に外嵌支持された流入管９が配管接続部５の流入口に嵌着される。【選択図】図１
0003158711.tif 000002
【実用新案登録請求の範囲】
【請求項１】
底部に排水口を開口した円筒状の桝本体と、該桝本体の内部排水口の上位で、該内部の周面に流入口を連通して外周面に突出する複数個の配管接続部と、各配管接続部の流入口に内嵌される横向き有底筒状の蓋本体と該蓋本体の突端に周設されるフランジとで構成される閉塞蓋とから成る排水枡に使用される管嵌着治具において、
前記桝本体の内部に収納される支持本体と該支持本体の外面に突設されるフックとで構成される支持体と、前記支持本体のフックに係合される長尺なアイボルトと、該アイボルトのボルト軸部が挿通される挿通孔を中心に開口した横向き凸状の押圧本体と該押圧本体の小径丸軸部に配設され、閉塞蓋除去後の流入口に嵌着される流入管を案内支持する支持軸部とで構成される押圧体と、該押圧体の挿通孔に挿通されたボルト軸部に案内される一対の座金と両座金に挟持されるコイルスプリングとで構成される押圧調整体と、ボルト軸部に螺着されて該押圧調整体を押圧する押圧ナットとから成り、前記排水桝の独立系内で配管接続部の閉塞蓋除去後の流入口に流入管を嵌着できることを特徴とする管嵌着治具。
【請求項２】
前記支持本体が、その上下に貫設されたネジ孔を所要長のネジ軸に螺着されて成り、該ネジ軸の下端に対して支持本体の外面に突設されるフックの位置を上下移動自在に調節できることを特徴とする請求項１記載の管嵌着治具。
【考案の詳細な説明】
【技術分野】
【０００１】
本考案は、排水処理工事における排水桝の細部である配管接続部への流入管を嵌着する管嵌着治具に関する。
【背景技術】
【０００２】
従来、底部に排水口を開口した円筒状の桝本体と、該桝本体の内部排水口の上位で、該内部の周面に流入口を連通して外周面に突出される複数個の配管接続部とから成る排水桝において、該配管接続部に被接続側配管を接続する技術は未提案である。
僅かにインバート部から突出した受口と差口とが屈曲している排水桝に被接続側配管を接続する技術が、特開２００３−１４７８４５号公報（特許文献１）に提案されている。  この公知技術は、梃子棒の一対の脚部を掘削溝の溝底部の地中に突き刺し、桝本体と台座部とに引き紐の一方を掛回し、他方を梃子棒の引き紐装着部に掛回して、梃子棒の操作部を傾動させて排水桝の差口を引き寄せて被接続側配管の受口内に挿入するものであるから、両脚部の地中への突き刺しが面倒である上、被接続側配管が固定されている場合の技術であって、被接続側配管が固定されていない場合には使用できない技術である。
【先行技術文献】
【特許文献】
【０００３】
【特許文献１】特開２００３−１４７８４５号公報
【考案の開示】
【考案が解決しようとする課題】
【０００４】
本考案は、桝本体の外周に複数個の配管接続部を突出した排水桝の独立系で該配管接続部に流入管を省力的にかつ安全確実に嵌着できる管嵌着治具を提供するものである。
【課題を解決するための手段】
【０００５】
本考案の請求項１に記載した管嵌着治具は、底部に排水口を開口した円筒状の桝本体と数個の配管接続部と、各配管接続部の流入口に内嵌される横向き有底筒状の蓋本体と、該蓋本体の突端に周設されるフランジとで構成される閉塞蓋とから成る排水桝に使用される管嵌着治具において、
前記桝本体の内部に収納される支持本体と該支持本体の外面に突設されるフックとで構成される支持体と、前記支持本体のフックに係合される長尺なアイボルトと、該アイボルトのボルト軸部が挿通される挿通孔を中心に開口した横向き凸状の押圧本体と該押圧本体の小径丸軸部に配設され、閉塞蓋除去後の流入口に嵌着される流入管を案内支持する支持軸部とで構成される押圧体と、該押圧体の挿通孔に挿通されたボルト軸部に案内される一対の座金と両座金に挟持されるコイルスプリングとで構成される押圧調整体と、ボルト軸部に螺着されて該押圧調整体を押圧する押圧ナットとから成り、前記排水桝の独立系内で配管接続部の閉塞蓋除去後の流入口に流入管を嵌着できるものである。
請求項２に記載した考案は、請求項１に記載した管嵌着治具において、
前記支持本体が、その上下に貫設されたネジ孔を所要長のネジ軸に螺着されて成り、該ネジ軸の下端に対して支持本体の外面に突設されるフックの位置を上下移動自在に調節できる。
【考案の効果】
【０００６】
本考案の管嵌着治具は、排水桝における桝本体の内外の独立系内で配管接続部に流入管を嵌着できるものであるから、既設の排水管や排水ラインに無用な外力を負荷することなく、また、排水桝の設置に必要なスペース内でコンパクトに使用できる上、ボルト軸部に押圧ナットを締結するだけの軽微な労力による省力化と、コイルスプリングの圧縮反力をボルト軸部の上下左右動を介して押圧体に伝達し、流入管の押圧姿勢が微調整されて流入管を損傷させることなく、水密的にして安全確実に流水口に嵌着できることによる高信頼性確保の点で、排水処理工事にとって極めて有用である。
【図面の簡単な説明】
【０００７】
【図１】本考案の管嵌着治具Ｂのネジ軸を一部切除した使用状態の説明図である。
【図２】支持体の説明図で、（ａ）は支持本体の要部を示した斜視図で、（ｂ）は支持本体と協働するアイボルトの斜視図である。
【図３】押圧体と押圧調整体の配列説明図で、（ａ）は押圧体と押圧調整体の分解状態の正面図、（ｂ）は（ａ）に示す押圧体の左側面図である。
【図４】支持体の他の実施態様を示す正面図である。
【図５】本考案の使用対象となる排水桝の要部を破断した正面図である。
【考案を実施するための形態】
【０００８】
本考案の管嵌着治具Ｂの一実施例による具体的な説明の前に、図５に示すように、排水処理工事の作業対象となる排水桝１の構成を説明すると、該排水桝１は底部に排水口２を開口した円筒状の桝本体３と、該桝本体３の内部の排水口２の上位で、内部の周面に流入口４を連通して外周面に突出する複数個（３個）の配管接続部５と、各配管接続部５の流入口４に内嵌される横向き有底筒状の蓋本体６と該蓋本体６の突端の外周に周設されるフランジ７とで構成される閉塞蓋８と、桝本体３の上端に被蓋される蓋（図外）とから成り、この排水桝１の設置作業は下水本管（図外）に接続される排水管（図外）が該排水桝１の排水口２に接続されて生活排水等の排水ラインに何れかの配管接続部５を合致させて排水桝１の姿勢が位置決めされ、合致した配管接続部５に内嵌された閉塞蓋８が抜き取られ、該閉塞蓋８の抜き取られた流入口４に長さ３００ｍｍ程度の流入管９が嵌着され、該流入管９は排水ラインの配管にソケット（図外）で接続されるものであるが、この流入管９の流入口４への嵌着に本考案の管嵌着治具Ｂが使用されるものである。
【０００９】
本考案の管嵌着治具Ｂの一実施例を図面に基づいて、以下に説明する。
図１に示すように、本考案の管嵌着治具Ｂは、所要直径の木製の丸太を半割りした高さの支持本体１１と、図２に示すように支持本体１１の曲面側に突設状にそのネジ軸１２を両面側からそれぞれ座金１３を介して各ナット１４、１４でフック１５がその係合口１６を上方に向けて締結され、上端には上にＵ状に打ち込まれた取付け金具１７に吊下時に使用されるクサリ１８が接合されて成る支持体１０と、図３に示すように押圧本体２３と小径丸軸部２５に外嵌する支持軸部３０の形成された案内座３１とから成る押圧体３４と、図２（ｂ）に示す長ナット２０の一端に螺着されて適宜に回り止めされ、該長ナット２０の他端に長尺なネジ軸２１が螺着されて適宜に回り止めされて成る短尺なアイボルト１９とから構成されている。
【００１０】
そこで、本考案の管嵌着治具Ｂの各構成部材を順次に説明すると、図２（ａ）に示す支持体１０は、所要直径（１４０ｍｍ）の木製の丸太を半割りした高さ略４５０ｍｍの支持本体１１と、該支持本体１１の曲面側に突設状にそのネジ軸１２を両面側からそれぞれ座金１３を介して各ナット１４、１４でフック１５がその係合口１６を上方に向けて締結され、上端には上にＵ状に打ち込まれた取付け金具１７に吊下時に使用されるクサリ１８が接合されて成る。
図２（ｂ）に示す長尺なアイボルト１９は前記フック１５に係合される。前記アイボルト１９はボルト軸部の長さに限りがあるため、本実施例では短尺なアイボルト１９が長ナット２０の一端に螺着されて適宜に回り止めされ、該長ナット２０の他端に長尺なネジ軸２１が（ボルト軸部に代わるもの）が螺着されて適宜に回り止めされて成るものである。
なお、前記の支持本体１１は木製のものに代えてアルミ合金製のものや、ネジ立て部にネジ座を配した硬質合成樹脂材（ＰＣ材等）などで提供され得る。
【００１１】
次に、図３（ａ）に示すように押圧本体２３について説明すると、該押圧本体２３の中心に開口された挿通孔２２に前記ネジ軸２１を挿通する。前記押圧本体２３は、右方の方形座盤２４とその左方へ一体に突設される小径丸軸部２５とからなる横向き凸状のアルミ合金製にして、その方形座盤２４の右方（後方）で前記ネジ軸２１に一対の座金２６、２６と両座金２６間に挟持されるコイルスプリング２７とで構成される押圧調整体２８が挿通され、該押圧調整体２８の後方で押圧ナット２９が螺着されて成る。
そして、左方の小径丸軸部２５には前記流入管９の内径に嵌着する支持軸部３０を形成した段部付き中空円筒状の案内座３１が外嵌され、そのフランジ部３２で図３（ｂ）に示すように、押圧本体２３の方形座盤２４に皿ビス３３でビス止めされて成る。
すなわち、流入管９を案内支持して流入口４に押し込む押圧体３４は、前記押圧本体２３と小径丸軸部２５に外嵌する支持軸部３０の形成された案内座３１とから成るものである。
なお、前記押圧体３４は、基本的には押圧本体２３と一体の小径丸軸部２５に直接支持軸部３０を形成したものでも提供されるが、前記の案内座３１を小径丸軸部２５に外嵌する構成の方が、流入口４の内径仕様に伴う支持軸部３０の変更に対しては、押圧本体２３はそのままで、案内座３１のみのオプション仕様で対応できるから経済的かつ省資源的な効果がある。
【００１２】
前述した図２（ａ）に示す支持体１０に代えて図４に示した支持体１０は、短尺なアルミ合金製の支持本体１１と、該支持本体１１の上下に貫設されたネジ孔３５に螺着され、ダブルナット３９により緩み止めされてなる所要長（５００ｍｍ程度）のネジ軸３６とから成り、該ネジ軸３６はその上端部に長ナット２０がダブルナット３９と共に螺着され、該長ナット２０の上端に短尺なアイボルト１９が螺着されて成る。
そして、支持本体１１の曲面から螺設されたフック１５には前記と同様に短尺なアイボルト１９のリング部３７が係合されるものであるが、該支持体１０は主としてインバートが形成された排水桝１において使用されるもので、インバートの底面にネジ軸３６を立てた状態で底面から流入口４の中心までフック１５の位置を自在に調整できる点でインバートのある排水桝１の流入口４に流入管９を嵌着する場合には有用である。
【００１３】
桝本体３を挟持する一方の支持体１０は長尺な支持本体１１にその下部でフック１５を前後面からナット１４で固定するものから、ネジ軸３６に上下移動自在に螺着された短尺な支持本体１１にその曲面からフック１５を螺着したものなどであり、該フック１５に係合して流入口４に流入管９を押し込む押圧体３４を案内するネジ部材は、長尺なアイボルト１９や短尺なアイボルト１９とネジ軸２１を長ナット２０で螺合したものなどである。また、桝本体３を他方から前記の支持体１０と協働して挟持する押圧体３４は、押圧本体２３に直接流入管９を案内支持する支持軸部３０が形成されるものから、押圧本体２３の小径丸軸部２５に流入管９を案内支持する支持軸部３０を形成した段部付き中空円筒状の案内座３１が着脱自在に外嵌接合されたものなどで提供される。
【００１４】
次に、本考案の管嵌着治具Ｂの操作動作を図面に基づいて、以下に説明する。
前記した各構成部材から成る本考案の管嵌着治具Ｂは、図１に示すように、排水処理工事の現場で前記仕様の排水桝１の桝本体３の内部に支持体１０が収められ、支持本体１１の下方に突設したフック１５に外方から配管接続部５の流入口４に挿通したアイボルト１９のリング部３７を桝本体３の上部から目視しつつ係合する。
前記フック１５にリング部３７が係合したら支持本体１１の曲面が桝本体３の内周面に接触するまでネジ軸２１を引き込み、その状態でネジ軸２１に支持軸部３０に流入管９を外嵌案内支持した押圧体３４をその挿通孔２２において挿通し、その後方から押圧調整体２８が順次に挿通され、さらに、その後方で押圧ナット２９が螺着され、この押圧ナット２９をスパナなどの工具（図外）で回転することにより、押圧調整体２８を介して押圧体３４が流入管９を流入口４に押し込む。
【００１５】
前記配管接続部５の流入口４の内周にはその前後に水密性を保持するためにＯリング３８が嵌入され、流入管９の押し込み時にかなり大きな摩擦抵抗が負荷されるから、この押し込み時の負荷がこの摩擦抵抗によるものなのか、流入管９の押圧姿勢のこじれによるものなのか判断に迷う場合があるが、このときにはネジ軸２１の上下動（極僅かの揺動）を介して押圧体３４に案内支持された流入管９の押圧姿勢を微調整すると、コイルスプリング２７の圧縮反力によって押圧体３４がスムーズな動きをするので、その状態が正常な押圧姿勢であることが判断でき、その状態でネジ軸２１を保持して押圧ナット２９を回転すれば、流入管９もＯリング３８も損傷することなく水密的にして、安全確実に流入管９を流入口４に嵌着できるものである。
このように本考案の管嵌着治具Ｂによれば、押圧ナット２９の回転による軽微な労力で省力的に流入管９を流入口４に嵌着できる上、押圧調整体２８のコイルスプリング２７の圧縮反力の作用で流入管９の押圧姿勢が微調整され、安全で高精度の嵌着が達成されるのである。
【産業上の利用可能性】
【００１６】
本考案の管嵌着治具Ｂは、排水処理工事において、排水桝の配管接続部の流入口に対する流入管の嵌着作業の省力化を達成するものである上、安全で高精度の嵌着作業の達成による信頼性の向上に資する点で、排水処理業界に広く普及利用され得るものである。
【符号の説明】
【００１７】
１  排水桝
２  排水口
３  桝本体
４  流入口
５  配管接続部
６  蓋本体
７  フランジ
８  閉塞蓋
９  流入管
１０  支持体
１１  支持本体
１２  ネジ軸
１３  座金
１４  ナット
１５  フック
１６  係合口
１７  取付け金具
１８  クサリ
１９  アイボルト
２０  長ナット
２１  ネジ軸
２２  挿通孔
２３  押圧本体
２４  方形座盤
２５  小径丸軸部
２６  座金
２７  コイルスプリング
２８  押圧調整体
２９  押圧ナット
３０  支持軸部
３１  案内座
３２  フランジ部
３３  皿ビス
３４  押圧体
３５  ネジ孔
３６  ネジ軸
３７  リング部
３８  Ｏリング
３９  ダブルナット
Ｂ  管嵌着治具
【図１】
0003158711.tif 000003
【図２】
0003158711.tif 000004
【図３】
0003158711.tif 000005
【図４】
0003158711.tif 000006
【図５】
0003158711.tif 000007